(57)【要約】      （修正有）【課題】下半身の足部と、上半身の腰部と、を同期に鍛錬することができる運動器具の揺動式ハンドル装置を提供する。【解決手段】揺動式ハンドル装置は、連接されたペダル連接ロッドにより同期的に駆動される一対の駆動ロッドにより、この駆動ロッドに固定された長手方向伝動ギアと協働する横方向伝動ギアを有する揺動ハンドルが同期的に揺動動作を行うことを特徴とするものである。これにより、ユーザーが揺動ハンドルを持って下半身の足部の運動を行うと、上半身の腰部のねじり運動を同時に達成することができる。【選択図】図１
0003149964.tif 000002
【実用新案登録請求の範囲】
【請求項１】
ペダル連接ロッドにより同期的に駆動される一対の駆動ロッドにより、前記駆動ロッドに固定された長手方向伝動ギアと協働する横方向伝動ギアが設けられた揺動ハンドルが同期的に揺動するようになることを特徴とする運動器具の揺動式ハンドル装置。
【請求項２】
ベースと、抵抗負荷付与機構と、二つの駆動ロッドと、二つの揺動ハンドルと、を含む運動器具の揺動式ハンドル装置において、
前記ベースは、フロント横支持ロッドと、リア横支持ロッドと、フロント支持部と、二つのペダル連接ロッドと、を有し、前記フロント支持部の上では、電子制御卓と固定式ハンドルユニットとが設けられており、前記フロント横支持ロッドの両側に設けられた吊りロッドと連結ロッドとを介して前記ペダル連接ロッドに枢着されており、
前記抵抗負荷付与機構は、揺れ動き可能の二つの負荷用錘と、同期連動ギアユニットと、を有し、前記負荷用錘は対応する前記ペダル連接ロッドの他端に枢着されて連接されており、
前記二つの駆動ロッドは、一端が伝動ロッドを介して前記ペダル連接ロッドに枢着されて連接されており、他端が前記フロント支持部の第一横軸に枢着されており、その頂部には長手方向伝動ギアがそれぞれ設けられており、
前記二つの揺動ハンドルは、湾曲形状を呈し、前記フロント支持部の第二横軸に枢着されており、前記長手方向伝動ギアに対応する箇所では前記長手方向伝動ギアと係合している横方向伝動ギアが設けられていることを特徴とする運動器具の揺動式ハンドル装置。
【請求項３】
前記揺動ハンドルは枢転可能にされるハンドルを含んでいることを特徴とする、請求項２に記載の揺動式ハンドル装置。
【請求項４】
ベースと、抵抗負荷付与機構と、二つの駆動ロッドと、揺動ハンドルと、を含む運動器具の揺動式ハンドル装置において、
前記ベースは、フロント横支持ロッドと、リア横支持ロッドと、フロント支持部と、二つのペダル連接ロッドと、を有し、前記フロント支持部の上では、電子制御卓と、固定式ハンドルユニットと、が設けられており、この固定式ハンドルユニットは、前記フロント横支持ロッドの両側に設けられた吊りロッドと連結ロッドとを介して前記ペダル連接ロッドに枢着されており、
前記抵抗負荷付与機構は、揺れ動き可能の二つの負荷用錘と、同期連動ギアユニットと、を有し、前記負荷用錘は対応する前記ペダル連接ロッドの他端に枢着されて連接されており、
前記二つの駆動ロッドは、一端が伝動ロッドを介して前記ペダル連接ロッドに枢着されて連接されており、他端が前記フロント支持部の第一横軸に枢着されており、その頂部には長手方向伝動ギアが設けられており、
前記揺動ハンドルは、前記フロント支持部の頂部に近接する箇所に嵌合されており、前記長手方向伝動ギアに対応する箇所では前記長手方向伝動ギアと係合している横方向伝動ギアが設けられていることを特徴とする運動器具の揺動式ハンドル装置。
【請求項５】
前記揺動ハンドルは枢転可能にされるハンドルを含むことを特徴とする、請求項４に記載の揺動式ハンドル装置。
【考案の詳細な説明】
【技術分野】
【０００１】
本考案は、運動器具の揺動式ハンドル装置（ｓｗｉｎｇ  ｈａｎｄｌｅ  ａｒｒａｎｇｅｍｅｎｔ  ｆｏｒ  ａｎ  ｅｘｅｒｃｉｓｅ  ｅｑｕｉｐｍｅｎｔ）に関し、特に、下半身の足部の運動と、上半身の腰部のねじり運動と、を同期に達成することができる揺動式ハンドル装置に関するものである。
【背景技術】
【０００２】
従来、足部を鍛錬するための健康器具（ｆｉｔｎｅｓｓ  ａｐｐａｒａｔｕｓ）、例えば自転車式健康器具、足踏み式健康器具や楕円形運動経路健康器具（ｅｌｌｉｐｔｉｃａｌ  ｃｒｏｓｓ  ｔｒａｉｎｅｒｓ）などは、ユーザーが足で立っている構造において足部を鍛錬するものである。上記の従来の足部を鍛錬する健康器具のいくつかは、ユーザーが両手で握ることの出来る追加の連動式ハンドルを有するが、この連動式ハンドルはユーザーが両手で握って、歩いたり走ったりするときの手足の動きを真似する前後への往復運動が可能であるだけなので、ユーザーの上半身（例えば腹部の筋肉）を同時に鍛錬することができない。
【０００３】
上記の課題を解決するため、米国特許出願公開公報第２００６／０２９３１５３号（ＵＳ  Ｐａｔ．  Ａｐｐｌ．  Ｎｏ．  ２００６／０２９３１５３）に開示される別の構成が提案され、これによれば、ユーザーの両足が踏む運動を行っていると同時に、ユーザーの両手がボクシングの動作をしているように前へ延ばす効果（ｓｔｒｅｔｃｈｉｎｇ−ｆｏｒｗａｒｄ  ｅｆｆｅｃｔ）を達成することを目的とする。
この上肢を前へ延ばす動作は腕の強さを鍛錬する効果は達成するが、ユーザーの腰部と腹部の筋肉を鍛錬する効果はない。ユーザーが腰部と腹部の筋肉を鍛錬しようとすると、他の健康器具を使用してその個人的な要求にこたえなければならない。その結果、従来の装置はさらに改良することを要求されている。
【考案の概要】
【考案が解決しようとする課題】
【０００４】
本考案の主な目的は、下半身の足部を鍛錬する効果と、上半身の腹部と腰部の筋肉を鍛錬する効果と、を、その上下半身の同時の連動した揺動式の運動による一つの運動器具の使用によって達成することの出来る、運動器具の揺動式ハンドル装置を提供することにある。これにより、全身の鍛錬と健康の効果が達成され、使用価値（ａｐｐｌｉｃａｔｉｏｎ  ｖａｌｕｅ）とボディービル効果が増加する。
【課題を解決するための手段】
【０００５】
本考案の請求項１に記載の運動器具の揺動式ハンドル装置は、連接されたペダル連接ロッドにより同期的に駆動される一対の駆動ロッドにより、この駆動ロッドに固定された長手方向伝動ギアと協働する横方向伝動ギアを有する揺動ハンドルが同期的に揺動動作を行うことを特徴とするものである。これにより、ユーザーが揺動ハンドルを持って下半身の足部の運動を行うと、上半身の腰部のねじり運動を同時に達成することができる。
【０００６】
本考案の請求項２に記載の運動器具の揺動式ハンドル装置は、一つのベースと、一つの抵抗負荷付与機構（ｒｅｓｉｓｔａｎｃｅ  ｌｏａｄ  ｍｅｃｈａｎｉｓｍ）と、二つの駆動ロッドと、二つの揺動ハンドルと、を含み、
前記ベースは、フロント横支持ロッドと、リア横支持ロッドと、フロント支持部と、二つのペダル連接ロッドと、を有し、前記フロント支持部の上では、電子制御卓（ｅｌｅｃｔｒｏｎｉｃ  ｃｏｎｓｏｌｅ）と固定式ハンドルユニットとが設けられており、この固定式ハンドルユニットは、前記フロント横支持ロッドの両側に設けられた吊りロッドと連結ロッドとを介して前記ペダル連接ロッドに枢着されており、
前記抵抗負荷付与機構は、揺れ動き可能の二つの負荷用錘と、同期連動ギアユニットと、を有し、前記負荷用錘は対応する前記ペダル連接ロッドの他端に枢着されて連接関係が生じており、
前記二つの駆動ロッドは、一端が伝動ロッドを介して前記ペダル連接ロッドに枢着されて連接関係を生じており、他端が前記フロント支持部の第一横軸に枢着されており、その頂部には長手方向伝動ギアがそれぞれ設けられており、
前記二つの揺動ハンドルは、湾曲形状を呈し、前記フロント支持部の第二横軸に枢着されており、前記長手方向伝動ギアに対応する箇所では前記長手方向伝動ギアと係合している横方向伝動ギアが設けられていることを特徴とする。
【０００７】
本考案の請求項３に記載の揺動式ハンドル装置によると、前記揺動ハンドルは枢転可能にされるハンドルを含んでもよい。
【０００８】
本考案の請求項４に記載の運動器具の揺動式ハンドル装置は、一つのベースと、一つの抵抗負荷付与機構と、二つの駆動ロッドと、一つの揺動ハンドルと、を含み、
前記ベースは、フロント横支持ロッドと、リア横支持ロッドと、フロント支持部と、二つのペダル連接ロッドと、を有し、前記フロント支持部の上では、電子操作卓と、固定式ハンドルユニットとが設けられており、この固定式ハンドルユニットは、前記フロント横支持ロッドの両側に設けられた吊りロッドと連結ロッドとを介して前記ペダル連接ロッドに枢着されており、
前記抵抗負荷付与機構は、揺れ動き可能の二つの負荷用錘と、同期連動ギアユニットと、を有し、前記負荷用錘は対応する前記ペダル連接ロッドの他端に枢着されて連接関係が生じており、
前記二つの駆動ロッドは、一端が伝動ロッドを介して前記ペダル連接ロッドに枢着されて連接関係を生じており、他端が前記フロント支持部の第一横軸に枢着されており、その頂部には長手方向伝動ギアがそれぞれ設けられており、
前記揺動ハンドルは、前記フロント支持部の頂部に近接する箇所に取り付けられており、前記長手方向伝動ギアに対応する箇所では前記長手方向伝動ギアと係合している横方向伝動ギアが設けられていることを特徴とする。
【０００９】
本考案の請求項５に記載の揺動式ハンドルによると、前記揺動ハンドルは枢転可能にされるハンドルを含んでいてもよい。
【００１０】
（考案の効果）
本考案の揺動式ハンドルによれば、下半身の足部と、上半身の腰部と、を同期に鍛錬することができるという効果を有する。
【図面の簡単な説明】
【００１１】
【図１】本考案の実施例１に係る健康器具の揺動式ハンドル装置の斜視図である。
【図２】図１の実施例１の平面図である。
【図３】図１の実施例１における構成の一部を示す模式図である。
【図４】実施例１の図２の作動状態を示す平面図である。
【図５】実施例１の図２の連続作動を示す平面図である。
【図６】実施例１の図４の側面図である。
【図７】実施例１の図５の側面図である。
【図８】本考案の実施例２に係る揺動式ハンドルの構成の一部を示す模式図である。
【考案を実施するための形態】
【００１２】
以下、本考案の実施の形態を図面に基づいて説明する。
（実施例１）
まず、図１乃至図３を参照する。楕円形運動経路健康器具に適用される本考案の実施例１に係る揺動式ハンドル装置は、一つのベース１０と、一つの抵抗負荷付与機構２０と、二つの駆動ロッド３０と、二つの揺動ハンドル４０と、を含む。
【００１３】
ベース１０は、フロント横支持ロッド１１と、リア横支持ロッド１２と、フロント支持部１３と、二つのペダル連接ロッド１４と、を有し、フロント支持部１３の頂部には、電子制御卓１５と固定式ハンドルユニット１６が設けられており、フロント横支持ロッド１１の両側に設けられた、吊りロッド１７と、連結ロッド１８とを介してペダル連接ロッド１４に枢着されている。
【００１４】
抵抗負荷付与機構２０は、揺れ動き可能の二つの負荷用錘２１と、同期連動ギアユニット２２と、を有し、負荷用錘２１は対応するペダル連接ロッド１４の他端にそれぞれ枢着されて、連接されている。
【００１５】
二つの駆動ロッド３０は、一端が伝動ロッド３１を介してペダル連接ロッド１４に枢着されており、他端がフロント支持部１３の第一横軸１９１に枢着されており、その頂部には長手方向伝動ギア３２が位置されている。
【００１６】
二つの揺動ハンドル４０は、湾曲形状を呈し、フロント支持部１３の第二横軸１９２に枢着されており、長手方向伝動ギア３２に対応する箇所では長手方向伝動ギア３２と噛合っている横方向伝動ギア４１が設けられている。
【００１７】
次に、図４乃至図７を参照しながら上記構成要素の組立に基づいて本考案の使用状態を説明する。ユーザーがペダル連接ロッド１４を踏み込むことにより揺動ハンドル４０を前後動するか、又は両手により揺動ハンドル４０を押して左右動かしているときには、同期の運動が達成される。さらに、負荷用錘２１により運動抵抗と慣性による揺動力が与えられて、そうすると、ユーザーが揺動ハンドル４０を握りながら下半身の足部において運動すると、上半身の腰部ねじり運動を同期的に達成することができる。
【００１８】
また、揺動ハンドル４０にあるハンドル４２を枢転可能にしてもよく、それにより、ユーザーの腕が捩じられて怪我をすることを回避することができる。
【００１９】
（実施例２）
次に、図８を参照しながら本考案の実施例２に係る揺動式ハンドル装置を説明する。本考案の実施例２に係る揺動式ハンドル装置は、一体式の揺動ハンドル５０がフロント支持部１３の上端に近接する箇所に嵌合されており、駆動ロッド３０の長手方向伝動ギア３２に対応する箇所では長手方向伝動ギア３２と係合する一つの横方向伝動ギア５２が設けられている。本考案の実施例２に係る揺動式ハンドル装置によれば、実施例１と同じ効果を達成することができる。
【００２０】
本考案の上記の実施例で多くの変化及び変更を、勿論のこと、その権利範囲から逸脱することなく行うことが可能である。したがって、科学や有用な技術分野において発展を進めるために、本考案は開示され、以下の実用新案登録請求の範囲によってのみ制限されるものである。
【符号の説明】
【００２１】
１０  ベース
１１  フロント横支持ロッド
１２  リア横支持ロッド
１３  フロント支持部
１４  ペダル連接ロッド
１５  電子制御卓
１６  固定式ハンドルユニット
１７  吊りロッド
１８  連結ロッド
２０  抵抗負荷付与機構
２１  負荷用錘
２２  同期連動ギアユニット
３０  駆動ロッド
３１  伝動ロッド
３２  長手方向伝動ギア
４０  揺動ハンドル
４１  横方向伝動ギア
４２  ハンドル
５０  一体式揺動ハンドル
１９１  第一横軸
１９２  第二横軸
【図１】
0003149964.tif 000003
【図２】
0003149964.tif 000004
【図３】
0003149964.tif 000005
【図４】
0003149964.tif 000006
【図５】
0003149964.tif 000007
【図６】
0003149964.tif 000008
【図７】
0003149964.tif 000009
【図８】
0003149964.tif 000010